(57)【要約】    【課題】  本発明は、安定性及び耐久性を高めたブロック及びその固定方法を提供することにある。    【解決手段】  本発明に係るブロックＡは、垂直壁部１０と該垂直壁部の下部に設けたベース部２０とからなるブロックＡにおいて、前記ブロックＡ内に垂直壁部１０からベース部２０に至る屈曲鉄筋３０を配し、ベース部内の屈曲鉄筋３０に、ベース部２０の外方からブロックＡの下部を支持するブロック下部支持鉄筋４０を接続するための結合構造３２を備え、さらに、前記垂直壁部１０内の屈曲鉄筋３０に垂直鉄筋５０を添設し、該垂直鉄筋５０に、垂直壁部１０の外方からブロックＡの上部を支持するブロック上部支持鉄筋６０を接続するための結合構造５２を備えたことを特徴とするものである。【選択図】        図３
2006138143.tif 000002
【特許請求の範囲】
【請求項１】
垂直壁部を有するブロックにおいて、
前記ブロック内の垂直壁部に垂直鉄筋を配し、
該垂直鉄筋に、垂直壁部外方からブロックの上部を支持するブロック上部支持鉄筋を接続するための結合構造を備えた
ことを特徴とするブロック。
【請求項２】
垂直壁部と該垂直壁部の下部に設けたベース部とからなるブロックにおいて、
前記ブロック内に垂直壁部からベース部に至る屈曲鉄筋を配し、
前記垂直壁部内の屈曲鉄筋に垂直鉄筋を添設し、
該垂直鉄筋に、垂直壁部外方からブロックの上部を支持するブロック上部支持鉄筋を接続するための結合構造を備えた
ことを特徴とするブロック。
【請求項３】
垂直壁部と該垂直壁部の下部に設けたベース部とからなるブロックにおいて、
前記ブロック内に垂直壁部からベース部に至る屈曲鉄筋を配し、
ベース部内の屈曲鉄筋に、ベース部外方からブロックの下部を支持するブロック下部支持鉄筋を接続するための結合構造を備えた
ことを特徴とするブロック。
【請求項４】
垂直壁部と該垂直壁部の下部に設けたベース部とからなるブロックにおいて、
前記ブロック内に垂直壁部からベース部に至る屈曲鉄筋を配し、
ベース部内の屈曲鉄筋に、ベース部外方からブロックの下部を支持するブロック下部支持鉄筋を接続するための結合構造を備え、
さらに、前記垂直壁部内の屈曲鉄筋に垂直鉄筋を添設し、
該垂直鉄筋に、垂直壁部外方からブロックの上部を支持するブロック上部支持鉄筋を接続するための結合構造を備えた
ことを特徴とするブロック。
【請求項５】
垂直壁部と該垂直壁部の下部に設けたベース部とからなるブロックにおいて、
前記ブロックのベース部幅方向に畦部を設けた
ことを特徴とするブロック。
【請求項６】
ベース部にコンクリート充填用穴を設けたことを特徴とする請求項２〜５のいずれか１項に記載のブロック。
【請求項７】
垂直壁部を有するブロックにおいて、垂直壁部の頂部の幅方向端部に横溝を設け、該横溝中の適宜個所に縦穴を設けた
ことを特徴とするブロック。
【請求項８】
垂直壁部と該垂直壁部の下部に設けたベース部とからなるブロック内に垂直壁部からベース部に至る屈曲鉄筋を配し、前記垂直壁部内の屈曲鉄筋に垂直鉄筋を添設し、該垂直鉄筋に、垂直壁部外方からブロックの上部を支持するブロック上部支持鉄筋を接続するための結合構造を備えたブロックを立設し、該ブロックにおける垂直鉄筋に垂直壁部外方からブロック上部支持鉄筋を接続した後、ブロックのベース部と共にブロック上部支持鉄筋をコンクリート充填により埋め込んで、ブロックを固定させることを特徴とするブロックの固定方法。
【請求項９】
垂直壁部と該垂直壁部の下部に設けたベース部とからなるブロック内に垂直壁部からベース部に至る屈曲鉄筋を配し、ベース部内の屈曲鉄筋に、ベース部外方からブロックの下部を支持するブロック下部支持鉄筋を接続するための結合構造を備えたブロックを立設し、該ブロックにおけるベース部内の屈曲鉄筋にベース部外方からブロック下部支持鉄筋を接続した後、ブロックのベース部と共にブロック下部支持鉄筋をコンクリート充填により埋め込んで、ブロックを固定させることを特徴とするブロックの固定方法。
【請求項１０】
垂直壁部を有するブロックにおいて、その垂直壁部の頂部の幅方向端部に横溝を設け、該横溝中の適宜個所に縦穴を設けたブロックを幅方向に連設し、隣接する各ブロックの横溝における縦穴を跨ぐようにコの字型鉄筋を差し込んだ後、該コの字型鉄筋が埋没するように縦穴及び横溝にコンクリートを充填したことを特徴とするブロックの固定方法。
【発明の詳細な説明】
【技術分野】
【０００１】
本発明は、塀、安全柵、擁壁などの起立構築物に使用される土木用又は建築用のブロック及びその固定方法に関し、特に起立安定性を向上させたブロック及びその固定方法に関する。
【背景技術】
【０００２】
従来より土木用又は建築用のコンクリート製のブロックは工場で生産され、これを現場に運び、現場に設置して固定する方式が採用されている。その固定方法としては、ブロックの下部周囲に鉄筋を張り巡らせた後、生の基礎コンクリートを充填して鉄筋と共にブロックの下部を埋め固める等の方法によりブロックを固定することが一般的である。
【発明の開示】
【発明が解決しようとする課題】
【０００３】
しかしながら、上記従来のブロックの固定方法では、ブロックを構成する硬化コンクリートに対して生の基礎コンクリートを充填することとなるため、硬化コンクリートと生の基礎コンクリートとの接着力が弱い。したがってブロック下部とブロック下部を埋める基礎コンクリートとの結合性が十分でないので、衝撃や振動などによりブロック下部とブロック下部を埋める基礎コンクリートが離間しやすく、そのため固定されたブロックに十分な安定性及び耐久性が得られなかった。
【０００４】
そこで、本発明者は、上記従来のブロックに対する種々の問題点に鑑み、鋭意研究を重ねた結果、安定性及び耐久性を高めたブロック及びその固定方法を開発した。
【課題を解決するための手段】
【０００５】
本発明に係るブロックは、垂直壁部を有するブロックにおいて、前記ブロック内の垂直壁部に垂直鉄筋を配し、該垂直鉄筋に、垂直壁部外方からブロックの上部を支持するブロック上部支持鉄筋を接続するための結合構造を備えたことを特徴とするものである。
【０００６】
また、本発明に係るブロックの構成として、垂直壁部と該垂直壁部の下部に設けたベース部とからなるブロックにおいて、前記ブロック内に垂直壁部からベース部に至る屈曲鉄筋を配し、前記垂直壁部内の屈曲鉄筋に垂直鉄筋を添設し、該垂直鉄筋に、垂直壁部外方からブロックの上部を支持するブロック上部支持鉄筋を接続するための結合構造を備えた構成としてもよい。
【０００７】
上記のように構成したことにより、ブロックの垂直壁部に、該ブロックの設置安定性を向上させ、衝撃や振動に対するブロック上部の影響を少なくするブロック上部支持鉄筋を容易に接続することができるので、便利である。また、このブロック上部支持鉄筋を接続できる結合手段を備えていると、容易にブロック上部支持鉄筋をブロックに接続することができ、ブロック上部支持鉄筋を接続すれば、垂直壁部の高さが高くなればなるほどブロックの上部を支持する効果が大きく発揮されるので、極めて有利である。
【０００８】
さらに、本発明に係るブロックの構成として、垂直壁部と該垂直壁部の下部に設けたベース部とからなるブロックにおいて、前記ブロック内に垂直壁部からベース部に至る屈曲鉄筋を配し、ベース部内の屈曲鉄筋に、ベース部外方からブロックの下部を支持するブロック下部支持鉄筋を接続するための結合構造を備えた構成としてもよい。
【０００９】
このように構成したことにより、ブロックのベース部に、該ブロックの設置安定性を向上させ、衝撃や振動に対するブロック下部の影響を少なくするためのブロック下部支持鉄筋を容易に結合することができるので、便利である。
【００１０】
さらにまた、本発明に係るブロックの構成として、垂直壁部と該垂直壁部の下部に設けたベース部とからなるブロックにおいて、前記ブロック内に垂直壁部からベース部に至る屈曲鉄筋を配し、ベース部内の屈曲鉄筋に、ベース部外方からブロックの下部を支持するブロック下部支持鉄筋を接続するための結合構造を備え、さらに、前記垂直壁部内の屈曲鉄筋に垂直鉄筋を添設し、該垂直鉄筋に、垂直壁部外方からブロックの上部を支持するブロック上部支持鉄筋を接続するための結合構造を備えた構成としてもよい。
【００１１】
このように構成したことにより、ブロックの垂直壁部に、該ブロックの設置安定性を向上させ、衝撃や振動に対するブロック上部の影響を少なくするブロック上部支持鉄筋を容易に結合することができるので、便利であり、ブロックのベース部に、該ブロックの設置安定性を向上させ、衝撃や振動に対するブロック下部の影響を少なくするためのブロック下部支持鉄筋を容易に結合することができるので、便利である。また、このようにブロック上部支持鉄筋及びブロック下部支持鉄筋を容易に接続できる結合手端を備えていると、各支持鉄筋を容易にブロックに接続することでき、ブロックに各支持鉄筋を接続すればブロックの安定性及び耐久性が著しく増大しので、極めて有利である。
【００１２】
また、本発明に係るブロックの構成として、垂直壁部と該垂直壁部の下部に設けたベース部とからなるブロックにおいて、前記ブロックのベース部幅方向に畦部を設けた構成としてもよい。
【００１３】
このように構成したことにより、該ベース部を基礎コンクリートにより埋設固定したときに、基礎コンクリートと畦部とが嵌合し、ブロックのベース部が基礎コンクリートと噛み合って一体化して外れなくなるので、安定性が向上する。また、ブロックと基礎コンクリートとの間に生じた隙間から雨水などが浸入しても、畦部により堰き止められるので、水分浸入による脆弱化が防止でき、耐久性が増大する。
【００１４】
さらにまた、本発明に係るブロックの構成として、上記のブロックに対して、ベース部にコンクリート充填用穴を設けた構成としてもよい。
【００１５】
このように構成すると、ブロックを設置してブロックの下部を基礎コンクリートで基礎固めする際に、コンクリート充填用穴から基礎コンクリートを充填すると、基礎コンクリートがベース部の下方に入り込むので、ベース部下方に隙間が生じることなく完全な基礎固めができる利点がある。
【００１６】
また、本発明に係るブロックの構成として、垂直壁部を有するブロックにおいて、垂直壁部の頂部の幅方向端部に横溝を設け、該横溝中の適宜個所に縦穴を設けた構成としてもよい。
【００１７】
このように構成することにより、該ブロックを幅方向に連設した場合に、隣接する各ブロックの横溝における縦穴を跨ぐようにコの字型鉄筋を差し込み、該コの字型鉄筋が埋没するように縦穴及び横溝にコンクリートを充填すれば、各ブロックを幅方向に固定することが可能となるので、ブロックの起立状態における安定性が向上し、倒壊を防止することができる。
【００１８】
本発明に係るブロックの固定方法は、垂直壁部と該垂直壁部の下部に設けたベース部とからなるブロック内に垂直壁部からベース部に至る屈曲鉄筋を配し、前記垂直壁部内の屈曲鉄筋に垂直鉄筋を添設し、該垂直鉄筋に、垂直壁部外方からブロックの上部を支持するブロック上部支持鉄筋を接続するための結合構造を備えたブロックを立設し、該ブロックにおける垂直鉄筋に垂直壁部外方からブロック上部支持鉄筋を接続した後、ブロックのベース部と共にブロック上部支持鉄筋を基礎コンクリート充填により埋め込んで、ブロックを固定させることを特徴とするものである。
【００１９】
また、本発明に係るブロックの固定方法として、垂直壁部と該垂直壁部の下部に設けたベース部とからなるブロック内に垂直壁部からベース部に至る屈曲鉄筋を配し、ベース部内の屈曲鉄筋に、ベース部外方からブロックの下部を支持するブロック下部支持鉄筋を接続するための結合構造を備えたブロックを立設し、該ブロックにおけるベース部内の屈曲鉄筋にベース部外方からブロック下部支持鉄筋を接続した後、ブロックのベース部と共にブロック下部支持鉄筋を基礎コンクリート充填により埋め込んで、ブロックを固定させる方法を採用してもよい。
【００２０】
このような固定方法を採用することにより、ブロックと基礎コンクリートとが、ブロックの下部にあってはブロック下部支持鉄筋により、ブロックの上部にあってはブロック上部支持鉄筋により、それぞれ接続されているので、衝撃や振動に対するブロック下部及びブロック上部の影響を少なくした安定性及び耐久性のあるブロックが構築できる。また、このような固定方法を採用することにより、衝撃や振動に対するブロック下部の影響を少なくした安定性及び耐久性のあるブロックが、容易に、かつ、短期間に設置することができる。
【００２１】
さらに、本発明に係るブロックの固定方法として、垂直壁部を有するブロックにおいて、その垂直壁部の頂部の幅方向端部に横溝を設け、該横溝中の適宜個所に縦穴を設けたブロックを幅方向に連設し、隣接する各ブロックの横溝における縦穴を跨ぐようにコの字型鉄筋を差し込んだ後、該コの字型鉄筋が埋没するように縦穴及び横溝にコンクリートを充填してブロックを固定させる方法を採用してもよい。
【００２２】
この固定方法を採用すれば、各ブロックを幅方向に固定することが可能となるので、ブロックの起立状態における安定性が向上し、倒壊を防止することができる。
【発明の効果】
【００２３】
本発明に係るブロックは、上記のような構成により、従来のブロックに対する種々の問題点を解決し、本発明のブロック及びその固定方法を採用すれば、設置後の塀、安全柵、擁壁などの起立構築物の安定性及び耐久性を高め、衝撃や振動による影響を少なくし、倒壊や崩壊を最小限度にとどめることができるものであり、また、塀、安全柵、擁壁などの起立構築物を容易でかつ短期間にブロックを設置することを可能とするものである。
【発明を実施するための最良の形態】
【００２４】
以下に本発明の好適な実施例を図に基いて詳細に説明する。
【実施例１】
【００２５】
図１〜図４は実施例１に係るブロックの設置から組立までの状態を示す斜視図であり、図１は均しコンクリート上に設置されたブロックの斜視図であり、図２は、図１に示す状態におけるブロックにブロック上部支持鉄筋とブロック下部支持鉄筋とを配設した状態を示す斜視図であり、図３はブロックの下部が基礎コンクリートにより埋設される状態を示す斜視図であり、図４はブロックの下部が基礎コンクリートにより埋設された状態を示す斜視図である。
【００２６】
図１及び図２において、Ａは垂直壁部１０を有するブロックであって、クラッシャランＢ上に形成した均しコンクリートＣ上に設置されている。該垂直壁部１０の下部には、垂直壁部１０を支持して、ブロックＡの自立安定性を向上させ、転倒を防止するベース部２０が形成されている。また、該ブロックＡの垂直壁部１０の両側には垂直溝１１が形成されており、この垂直溝１１は隣接するブロックの垂直溝とから形成される垂直方向の孔にコンクリートを充填固化することにより、隣接するブロック同士を接合する役割を果たす。また、垂直壁部１０の頂部に形成されている垂直孔１２は、ブロックＡの上部に取り付けられるフェンスの支柱を嵌め込んだり、鉄筋や鉄骨を嵌め込んでブロックＡの補強に使用する。さらに裏面には高さ調節部材１３が配されており、高さ調節部材１３は、そのネジ部材１４を垂直壁部１０及びベース部２０の裏面に取り付けたナット部材に対してねじることにより、ネジ部材１４を上下させて垂直壁部１０とベース部２０との高さ調節や水平調節ができるようになっている。
【００２７】
そして、該ブロックＡ内には、垂直壁部１０からベース部２０に至る複数の屈曲鉄筋３０が複数の水平鉄筋３１と交差させて配されており、ベース部２０内の屈曲鉄筋３０の端部に、ベース部３０の外方からブロックＡの下部を支持するブロック下部支持鉄筋４０を接続するための結合構造を備えられている。すなわち、前記ブロック下部支持鉄筋４０は、その先端がねじ切りされた雄ネジ部を有する鉄筋であり、結合構造は、該雄ネジ部に螺合する雌ネジ部を有する筒状部材３２である。
【００２８】
また、該ブロックＡ内には、前記垂直壁部１０内の屈曲鉄筋３０に垂直鉄筋５０が添設するように配されており、該垂直鉄筋５０は、その下端部が屈曲しており、該屈曲部５１に垂直壁部１０の外方からブロックＡの上部を支持するブロック上部支持鉄筋６０を接続するための結合構造が備えられている。すなわち、前記ブロック上部支持鉄筋６０は、その先端がねじ切りされた雄ネジ部を有する鉄筋であり、結合構造は、該雄ネジ部に螺合する雌ネジ部を有する筒状部材５２である。
【００２９】
上記の構成を有するブロックＡに対し、図２に示すように、ベース部２０内の屈曲鉄筋３０の端部に備えられている筒状部材３２にブロック下部支持鉄筋４０が結合され、垂直壁部１０内の屈曲鉄筋３０に添設された垂直鉄筋５０の下端の屈曲部５１に備えられている筒状部材５２にブロック上部支持鉄筋６０が結合される。また、ブロック下部支持鉄筋４０及びブロック上部支持鉄筋６０の各支持強度を高めるために、両支持鉄筋４０、６０を接続する結合軸７０が取着されている。なお、ブロック下部支持鉄筋４０の長さが不足すれば、他の鉄筋を適宜接続する。
【００３０】
上記のようにブロックＡに対してブロック下部支持鉄筋４０及びブロック上部支持鉄筋６０を結合した後、図３に示すようにブロック下部支持鉄筋４０に対して交差するように押さえ鉄筋８０を配設し、図４に示すように生の基礎コンクリートＤをブロック上部支持鉄筋６０を覆い隠す程度の高さまで、ブロックＡから離れるに従って下傾するように充填し、固化させる。なお、ベース部２０には設けたコンクリート充填用穴２１が設けられており、ブロックＡを設置してブロックＡをコンクリートで基礎固めする際に、該コンクリート充填用穴２１からコンクリートを充填すると、コンクリートがベース部２０の下方に入り込むので、隙間などが生じることなく完全な基礎固めができる。さらに、前記のブロック上部支持鉄筋６０の補強のために、該支持鉄筋６０から垂下し、前記コンクリート充填用穴２１を貫通する垂下鉄筋２２が配されており、該垂下鉄筋２２は、コンクリート充填用穴２１に充填したコンクリートが固化すると同時にブロック上部支持鉄筋６０を固定する。また、垂下鉄筋２２は、ベース部２０の上方の基礎コンクリートからコンクリート充填用穴２１を介してベース部下方の基礎コンクリートまでを鎖結合のように強固に結合させることになるので、ブロックＡと基礎コンクリートＤとの一体性がさらに増大し、安定性が向上する。
【００３１】
以上のように本実施例のブロックＡを構成したことにより、ブロックＡの垂直壁部１０に、該ブロックＡの設置安定性を向上させ、衝撃や振動に対するブロックＡの上部の影響を少なくするブロック上部支持鉄筋６０を容易に結合することができ、ブロックＡのベース部２０に、該ブロックＡの設置安定性を向上させ、衝撃や振動に対するブロック２０の下部の影響を少なくするためのブロック下部支持鉄筋４０を容易に結合することができるので、便利である。また、ブロックＡの固定方法も、上述したように、ブロックＡを設置してその高さや水平を高さ調節部材１３により調節して仮止めした後、ブロックＡにブロック上部支持鉄筋６０及びブロック下部支持鉄筋４０を結合し、適宜補強用の鉄筋を配設して生の基礎コンクリートでブロックＡの下部を固めるだけで、容易でかつ短期間に塀、安全柵、擁壁などの起立構築物を完成させることができる。
【実施例２】
【００３２】
図５は、本発明の実施例２に係るブロックであって、均しコンクリート上に設置された斜視図である。
【００３３】
本実施例は、上記実施例１のブロックＡに構造を一部付加したものである。したがって、一部付加した構造について説明し、その余の実施例１の構造と同一の構造については、実施例１の説明を援用し、実施例１と同一の符号を使用するものとし、本実施例においてはその説明を省略する。
【００３４】
本実施例におけるブロックＡ’は、垂直壁部１０と該垂直壁部１０の下部に設けたベース部２０とからなるものであって、該ブロックＡ’のベース部２０の幅方向に畦部９０を設けたものである。
【００３５】
このように構成したことにより、該ベース部２０を基礎コンクリートＤにより埋設固定したときに、基礎コンクリートＤと畦部９０とが嵌合し、ブロックＡ’のベース部２０が基礎コンクリートＤと噛み合って一体化して外れなくなるので、安定性が向上する。また、ブロックＡ’と基礎コンクリートＤとの間に生じた隙間から雨水などが浸入しても、畦部９０により堰き止められるので、水分浸入による脆弱化が防止でき、耐久性が増大する。
【実施例３】
【００３６】
図６及び図７は、本発明の実施例３に係るブロックであって、図６はブロックの斜視図であり、図７は２つのブロックを幅方向に連設して表した一部拡大図付き斜視図である。
【００３７】
各図において、Ａ１はブロック、Ｂはクラッシャラン、Ｃは均しコンクリートを示す。なお、ブロックＡ１には実施例１の構成や実施例２の構成を適宜付加してもよい。
【００３８】
該ブロックＡ１は、垂直壁部１１０及びベース部１２０を有しており、該垂直壁部１１０の頂部１１５には、その幅方向端部１１６に横溝１１７が設けられ、該横溝中の適宜個所に縦穴１１８が設けられている。
【００３９】
図７に示す１２３はコの字型鉄筋であり、コの字型鉄筋１２３の足部１２４、１２５の間隔は、該ブロックＡ１を幅方向に連設した場合の隣接する各ブロックＡ１の横溝１１７、１１７に設けられた縦穴１１８、１１８の間隔に合致するように構成され、足部１２４、１２５の長さは、前記縦穴１１８、１１８の深さと同一か又はそれより短く形成されている。一方、コの字型鉄筋１２３の横軸１２６は、横溝１１７、１１７に嵌り込んで、横軸１２６が頂部１１５からはみ出さないように形成されている。
【００４０】
以上のようにブロックＡ１の頂部１１５に横溝１１７及び縦穴１１８を設け、コの字型鉄筋１２３を備えることにより、該ブロックＡ１を幅方向に連設した場合に、図７に示すように、隣接する各ブロックＡ１の横溝１１７における縦穴１１８を跨ぐようにコの字型鉄筋１２３を差し込むことができ、該コの字型鉄筋１２３が埋没するように縦穴１１８及び横溝１１７にコンクリートを充填すれば、各ブロックＡ１を幅方向に固定することが可能となる。したがって、ブロックＡ１は、その起立状態における安定性が向上し、倒壊するのを防止することができる。
【００４１】
なお、上記の各実施例は、これに限定されるものではなく、特許請求の範囲に記載した広範囲な実施形態を包含するものである。
【産業上の利用可能性】
【００４２】
本発明に係るブロックは、塀、安全柵、擁壁などの起立構築物に使用される土木用又は建築用のブロックである。
【図面の簡単な説明】
【００４３】
【図１】実施例１に係るブロックの設置から組立までの状態を示す斜視図であって、均しコンクリート上に設置されたブロックの斜視図である。
【図２】実施例１に係るブロックの設置から組立までの状態を示す斜視図であって、図１に示す状態におけるブロックにブロック上部支持鉄筋とブロック下部支持鉄筋とを配設した状態を示す斜視図である。
【図３】実施例１に係るブロックの設置から組立までの状態を示す斜視図であって、ブロックの下部が基礎コンクリートにより埋設される状態を示す斜視図である。
【図４】実施例１に係るブロックの設置から組立までの状態を示す斜視図であって、ブロックの下部が基礎コンクリートにより埋設された状態を示す斜視図である。
【図５】実施例２に係るブロックであって、均しコンクリート上に設置された斜視図である。
【図６】実施例３に係るブロックであって、均しコンクリート上に設置された斜視図である。
【図７】実施例３に係るブロックであって、２つのブロックを幅方向に連設して表した一部拡大図付き斜視図である。
【符号の説明】
【００４４】
Ａ・・・・ブロック                Ｂ・・・・クラッシャラン
Ｃ・・・・均しコンクリート        Ｄ・・・・基礎コンクリート
１０・・・垂直壁部                １１・・・垂直溝
１２・・・垂直孔                  １３・・・高さ調節部材
１４・・・ネジ部材                ２０・・・ベース部
２１・・・コンクリート充填用穴    ２２・・・垂下鉄筋
３０・・・屈曲鉄筋                ３１・・・水平鉄筋
３２・・・筒状部材                ４０・・・ブロック下部支持鉄筋
５０・・・垂直鉄筋                ５１・・・屈曲部
５２・・・筒状部材                ６０・・・ブロック上部支持鉄筋
７０・・・結合軸                  ８０・・・押さえ鉄筋
Ａ’・・・ブロック                ９０・・・畦部
Ａ１・・・ブロック              １１０・・・垂直壁部
１１５・・・垂直壁部の頂部        １１６・・・垂直壁部の端部
１１７・・・横溝                  １１８・・・縦穴
１２３・・・コの字型鉄筋          １２４・・・コの字型鉄筋の足部
１２５・・・コの字型鉄筋の足部    １２６・・・コの字型鉄筋の横軸
１２０・・・ベース部  
【図１】
2006138143.tif 000003
【図２】
2006138143.tif 000004
【図３】
2006138143.tif 000005
【図４】
2006138143.tif 000006
【図５】
2006138143.tif 000007
【図６】
2006138143.tif 000008
【図７】
2006138143.tif 000009